(57)【特許請求の範囲】
【請求項１】
マトリックス状に配置された複数の単位画素を有すると共に、それら単位画素の各々が第１視点用サブ画素と第２視点用サブ画素を少なくとも含んでいる表示パネルと、
前記第１視点用サブ画素及び前記第２視点用サブ画素を通して生成される画像を分離して、第１視点及び第２視点に向けて出射する光学的画像分離素子とを備え、
前記表示パネルは、所定隙間をあけて接合された一対の基板と、前記隙間内の所定位置に配置された、前記一対の基板を前記所定間隔に保持するためのスペーサとを有しており、
前記スペーサは、前記光学的画像分離素子の画像分離軸に直交する方向にストライプ状に延在していると共に、前記単位画素の各々の前記第１視点用サブ画素と前記第２視点用サブ画素とに均等に重なっていることを特徴とする表示装置。
【請求項２】
前記スペーサが、隣接する複数の前記単位画素にわたって連続して延在している請求項１に記載の表示装置。
【請求項３】
前記スペーサが、前記単位画素毎に、または前記第１視点用サブ画素もしくは前記第２視点用サブ画素毎に分断されている請求項１に記載の表示装置。
【請求項４】
マトリックス状に配置された複数の単位画素を有すると共に、それら単位画素の各々が第１視点用サブ画素と第２視点用サブ画素を少なくとも含んでいる表示パネルと、
前記第１視点用サブ画素及び前記第２視点用サブ画素を通して生成される画像を分離して、第１視点及び第２視点に向けて出射する光学的画像分離素子とを備え、
前記表示パネルは、所定隙間をあけて接合された一対の基板と、前記隙間内の所定位置に配置された、前記一対の基板を前記所定間隔に保持するためのスペーサとを有しており、
前記スペーサは、前記単位画素毎に、または前記第１視点用サブ画素もしくは前記第２視点用サブ画素毎に独立して形成されていると共に、前記光学的画像分離素子の画像分離軸に直交する方向に並んでおり、
前記単位画素の各々を構成する前記第１視点用サブ画素と前記第２視点用サブ画素に対して設けられた前記スペーサは、前記第１視点用サブ画素と前記第２視点用サブ画素の境界に関して相互に対称に配置されていることを特徴とする表示装置。
【請求項５】
前記第１視点用サブ画素と前記第２視点用サブ画素の各々の内部に前記スペーサが一個配置されている請求項４に記載の表示装置。
【請求項６】
前記第１視点用サブ画素と前記第２視点用サブ画素の各々の内部に前記スペーサが複数個配置されている請求項４に記載の表示装置。
【請求項７】
前記第１視点用サブ画素と前記第２視点用サブ画素の各々の内部に前記スペーサが複数個配置され、それらのスペーサが前記光学的画像分離素子の画像分離軸に沿って相互に位置をずらして配置されている請求項４に記載の表示装置。
【請求項８】
マトリックス状に配置された複数の単位画素を有すると共に、それら単位画素の各々が第１視点用サブ画素と第２視点用サブ画素を少なくとも含んでいる表示パネルと、
前記第１視点用サブ画素及び前記第２視点用サブ画素を通して生成される画像を分離して、第１視点及び第２視点に向けて出射する光学的画像分離素子とを備え、
前記表示パネルは、所定隙間をあけて接合された一対の基板と、前記隙間内の所定位置に配置された、前記一対の基板を前記所定間隔に保持するためのスペーサとを有しており、
複数の前記単位画素は、前記スペーサを含む第１群と、前記スペーサを含まない第２群とに分けられており、
前記第１群の前記単位画素では、前記スペーサは、前記単位画素毎に、または前記第１視点用サブ画素もしくは前記第２視点用サブ画素毎に独立して形成されていると共に、前記光学的画像分離素子の画像分離軸に直交する方向に並んでおり、
前記第１群の前記単位画素は、前記マトリックスの列または行または対角線に沿って配置され、
前記第２群の前記単位画素は、前記第１群の前記単位画素に隣接し且つ前記第１群の前記単位画素の配置方向に対応する方向に配置され、
前記マトリックスの列または行または対角線に沿って相互に隣接する前記第１群の前記単位画素と前記第２群の前記単位画素とを用いて、前記スペーサによって生成される配向不良領域による影響を補償することを特徴とする表示装置。
【請求項９】
前記第１群の前記単位画素と前記第２群の前記単位画素とが、前記マトリックスの行に沿って交互に配置されており、前記マトリックスの行方向に隣接する前記第１群の前記単位画素と前記第２群の前記単位画素とで、前記スペーサによって生成される配向不良領域による影響を補償する請求項８に記載の表示装置。
【請求項１０】
前記第１群の前記単位画素と前記第２群の前記単位画素とが、前記マトリックスの列に沿って交互に配置されており、前記マトリックスの列方向に隣接する前記第１群の前記単位画素と前記第２群の前記単位画素とで、前記スペーサによって生成される配向不良領域による影響を補償する請求項８に記載の表示装置。
【請求項１１】
前記第１群の前記単位画素と前記第２群の前記単位画素とが、前記マトリックスの行及び列に沿って交互に配置されており、前記マトリックスの行方向及び列方向に隣接する前記第１群の前記単位画素と前記第２群の前記単位画素とで、前記スペーサによって生成される配向不良領域による影響を補償する請求項８に記載の表示装置。
【請求項１２】
前記第１群の前記単位画素の各々の内部に前記スペーサが一個配置されている請求項８〜１１のいずれか１項に記載の表示装置。
【請求項１３】
前記第１群の前記単位画素の各々の内部に前記スペーサが複数個配置されている請求項８〜１１のいずれか１項に記載の表示装置。
【請求項１４】
前記第１群の前記単位画素の各々の内部に前記スペーサが複数個配置され、それらスペーサの位置が前記光学的画像分離素子の画像分離軸に直交する方向に対して相互にシフトしている請求項８〜１１のいずれか１項に記載の表示装置。
【請求項１５】
マトリックス状に配置された複数の単位画素を有すると共に、それら単位画素の各々が第１視点用サブ画素と第２視点用サブ画素を少なくとも含んでいる表示パネルと、
前記第１視点用サブ画素及び前記第２視点用サブ画素を通して生成される画像を分離して、第１視点及び第２視点に向けて出射する光学的画像分離素子とを備え、
前記表示パネルは、所定隙間をあけて接合された一対の基板と、前記隙間内の所定位置に配置された、前記一対の基板を前記所定間隔に保持するためのスペーサとを有しており、
複数の前記単位画素は、前記第１視点用サブ画素のみに前記スペーサを含む第１群と、前記第２視点用サブ画素のみに前記スペーサを含む第２群とに分けられており、
前記第１群の前記単位画素では、前記スペーサは、前記第１視点用サブ画素毎に独立して形成されていると共に、前記光学的画像分離素子の画像分離軸に直交する方向に並んでおり、
前記第２群の前記単位画素では、前記スペーサは、前記第２視点用サブ画素毎に独立して形成されていると共に、前記光学的画像分離素子の画像分離軸に直交する方向に並んでおり、
前記第１群の前記単位画素は、前記マトリックスの列または行または対角線に沿って配置され、
前記第２群の前記単位画素は、前記第１群の前記単位画素に隣接し且つ前記第１群の前記単位画素の配置方向に対応する方向に配置され、
前記マトリックスの列または行または対角線に沿って相互に隣接する前記第１群の前記単位画素と前記第２群の前記単位画素とを用いて、前記スペーサによって生成される配向不良領域による影響を補償することを特徴とする表示装置。
【請求項１６】
前記第１群の前記単位画素と前記第２群の前記単位画素とが、前記マトリックスの行に沿って交互に配置されており、前記マトリックスの行方向に隣接する前記第１群の前記単位画素と前記第２群の前記単位画素とで、前記スペーサによって生成される配向不良領域による影響を補償する請求項１５に記載の表示装置。
【請求項１７】
前記第１群の前記単位画素と前記第２群の前記単位画素とが、前記マトリックスの列に沿って交互に配置されており、前記マトリックスの列方向に隣接する前記第１群の前記単位画素と前記第２群の前記単位画素とで、前記スペーサによって生成される配向不良領域による影響を補償する請求項１５に記載の表示装置。
【請求項１８】
前記第１群の前記単位画素と前記第２群の前記単位画素とが、前記マトリックスの行及び列に沿って交互に配置されており、前記マトリックスの行方向及び列方向に隣接する前記第１群の前記単位画素と前記第２群の前記単位画素とで、前記スペーサによって生成される配向不良領域による影響を補償する請求項１５に記載の表示装置。
【請求項１９】
前記第１群の前記単位画素と前記第２群の前記単位画素の各々の内部に、前記スペーサが一個配置されている請求項１５〜１８のいずれか１項に記載の表示装置。
【請求項２０】
前記第１群の前記単位画素と前記第２群の前記単位画素の各々の内部に、前記スペーサが複数個配置されている請求項１５〜１８のいずれか１項に記載の表示装置。
【請求項２１】
前記第１群の前記単位画素と前記第２群の前記単位画素の各々の内部に、前記スペーサが複数個配置され、それらスペーサの位置が前記光学的画像分離素子の画像分離軸に直交する方向に対して相互にシフトしている請求項１５〜１８のいずれか１項に記載の表示装置。
【請求項２２】
前記光学的画像分離素子として、複数のレンズ要素を連結して形成されたレンチキュラレンズを含んでおり、
前記スペーサに起因する配向不良領域の大きさ（前記光学的画像分離素子の画像分離軸に直交する方向の長さ）をＡとし、前記レンズ要素のピッチをＬ、前記レンズ要素の焦点距離をｆ、前記レンズ要素と前記単位画素との距離をＨとしたとき、
ｆ＜Ｌ×Ｈ／（Ｌ＋Ａ）
となるように前記距離Ｈが設定されている請求項１〜２１のいずれか１項に記載の表示装置。
【請求項２３】
請求項１〜２２のいずれか１項に記載の表示装置を備えたことを特徴とする端末装置。
【発明の詳細な説明】
【技術分野】
【０００１】
本発明は、表示装置とそれを用いた端末装置に関し、さらに言えば、複数の視点に異なる画像を表示することが可能な表示装置と、その表示装置を用いた端末装置に関する。
【背景技術】
【０００２】
液晶表示装置は近年、その低消費電力、軽量、薄型という特性を活かすべく、プロジェクタ装置、携帯電話機等の小型の電子機器への搭載が急増している。他方、液晶表示装置に付加価値を加えた製品も開発されており、その一例が、異なる視点用に画像を分離する光学素子（光学的画像分離素子）を用いて立体画像を表示できるようにした立体液晶表示装置が挙げられる。この種の立体液晶表示装置では、観察者は専用メガネを使用せずに裸眼で立体画像を視認することが可能である。光学的画像分離素子としては、レンチキュラレンズ、フライアイレンズ等のレンズや、視差バリアが使用されるのが一般的である。
【０００３】
例えば、特許文献１（特開２００４−２８００５２号公報）には、「Ｎ視点用のＭ×Ｎ個（Ｍ、Ｎは自然数）のサブ画素から構成される表示画素が複数個マトリックス状に配置された表示パネルと、前記視点毎に前記サブ画素の光線を振り分けるレンチキュラレンズとを有し、一つの表示画素に含まれるＭ×Ｎ個のサブ画素が正方形の領域内に形成されていることを特徴とする画像表示装置」が開示されている（請求項１、図１、図３参照）。
【０００４】
特許文献１の上記画像表示装置では、一つの表示画素に含まれるＭ×Ｎ個のサブ画素が正方形の領域内に形成されているため、これら表示画素によりＮ視点の画像を表示することができる。Ｎが２以上であれば、右眼用の画像と左眼用の画像を相互に異なる視点に供給できるため、立体画像の表示が可能であり、このときの表示画素の形状は正方形となる。また、Ｎ個のサブ画素に同一の画像を表示すれば、平面画像を表示することができるが、このときの画像の解像度は立体画像表示時と同じであり、表示画素の形状も同じく正方形となる。このように、立体画像表示時と平面画像表示時において解像度を相互に等しくすることができると共に、立体画像と平面画像とを混在表示しても違和感がなく、平面画像の任意の位置で立体画像を表示することができる。また、表示画素の形状を正方形とすることができるため、画像（特に文字）の視認性に優れている、とされている（段落００２３参照）。
【０００５】
特許文献１には、さらに、Ｎ視点用のＭ×Ｎ個（Ｍ、Ｎは自然数）のサブ画素から構成される表示画素が複数個マトリックス状に配置された表示パネルと、前記視点毎に前記サブ画素の光線を振り分けるパララックスバリアとを有し、一つの表示画素に含まれるＭ×Ｎ個のサブ画素が正方形の領域内に形成されていることを特徴とする画像表示装置も開示されている（請求項１２、図２１参照）。この画像表示装置は、レンチキュラレンズに代えてパララックスバリアを使用した点が上述した画像表示装置と異なるだけであり、その作用効果は上述した画像表示装置と同じである（段落００４１〜００４２参照）。
【０００６】
また、特許文献２（特開平７−５４１７号公報）には、「２枚の基板の内側に透明電極が対向配置され、該基板間に封入された液晶に電圧を印加して画像を表示する液晶表示パネルを使って立体画像を表示する液晶立体画像表示装置であって、前記液晶表示パネルの表示部前面にかまぼこ状の凸レンズを横方向に複数個連続させたレンチキュラレンズを配し、該レンチキュラレンズの各凸レンズ領域に対応して、前記液晶表示パネルの縦方向にストライプ状の右眼用画像表示領域と左眼用画像表示領域とが対に形成され、前記液晶表示パネルの上下基板間に右眼用表示領域と左眼用画像表示領域とを区画する各区画部毎にストライプ状のスペーサを設けたことを特徴とする液晶立体画像表示装置」が開示されている（請求項１、図１〜図３参照）。
【０００７】
特許文献２の上記液晶立体画像表示装置では、レンチキュラレンズの各凸レンズ領域に対応してストライプ状の右眼用画像表示領域と左眼用画像表示領域が形成されているため、適正な立体画像表示が行える。また、前記液晶表示パネルの上下基板間には、右眼用表示領域と左眼用画像表示領域とを区画する各区画部毎にストライプ状のスペーサを設けられているので、表示画像に与える影響が少なくて済み、液晶注入時にはスペーサのストライプ方向に沿って液晶を注入すれば、スペーサの偏在化や移動等が発生せず、基板間隔を常に均一に保持して、適正な画像が表示される、とされている（段落００１８、００３０参照）。
【０００８】
特許文献２には、「２枚の基板の内側に透明電極が対向配置され、該基板間に封入された液晶に電圧を印加して画像を表示する液晶表示パネルを使って立体画像を表示する液晶立体画像表示装置であって、前記液晶表示パネルの表示部前面にかまぼこ状の凸レンズを横方向に複数個連続させたレンチキュラレンズを配し、該レンチキュラレンズの各凸レンズ領域に対応して、前記液晶表示パネルの縦方向にストライプ状の右眼用画像表示領域と左眼用画像表示領域とが対に形成され、前記液晶表示パネルの上下基板間に前記レンチキュラレンズの各凸レンズが互いに隣接する境界部毎にストライプ状のスペーサを設けたことを特徴とする液晶立体画像表示装置」も開示されている（請求項３、図４参照）。この液晶立体画像表示装置は、ストライプ状のスペーサを前記レンチキュラレンズの各凸レンズが互いに隣接する境界部毎に設けた点が上述した液晶立体画像表示装置と異なるだけであり、その作用効果は上述した液晶立体画像表示装置と同じである（段落００２０、００３８〜００３９参照）。
【特許文献１】特開２００４−２８００５２号公報
【特許文献２】特開平７−５４１７号公報
【発明の開示】
【発明が解決しようとする課題】
【０００９】
ところで、特許文献１に記載されているような平面画像と立体画像が混在表示可能な画像表示装置では、２視点表示をする場合（Ｎ＝２）、二つのサブ画素（左眼用サブ画素と右眼用サブ画素）を組み合わせて一つの単位画素とする。そして、視差を加味して生成した二つの異なる画像を左眼用サブ画素と右眼用サブ画素を用いてそれぞれ生成すると、立体画像が表示され、左眼用サブ画素と右眼用サブ画素を用いて同一の画像を生成した時には、平面画像が表示される。なお、視点数が３以上の場合（Ｎ≧３）は、一つの単位画素は、視点数分（Ｎ個）のサブ画素を組み合わせて構成される。
【００１０】
特許文献１に記載されている上記画像表示装置において、前記表示パネルとして液晶表示パネルを使用する場合、その液晶表示パネルには、複数の視点に異なる画像を表示することができない通常の液晶表示装置用の液晶表示パネルよりも高い精細度が求められる。これは、通常の液晶表示装置用の液晶表示パネルと同一の画素数で画像表示を行おうとすると、当該液晶表示パネルには視点数の倍数（Ｎ倍）に等しい画素が必要になるためである。このように高精細化された液晶表示パネルにおいて十分な画像分離を行うには、液晶表示パネル内の画素群と、当該液晶表示パネルの前面（観察者側の面）に配置される光学的画像分離素子との間の距離をできるだけ短縮する必要があり、そのためには液晶表示パネルの観察側の基板を薄くすることが要求される。
【００１１】
他方、液晶表示装置は通常、液晶を封入する空間を得るために、一対の基板（主基板と対向基板）間に微小な隙間が形成されるが、その隙間を前記一対の基板の全面にわたって均一にするため、前記一対の基板の間に所定の剛性を持つスペーサが配置される。このスペーサとしては、従来、前記一対の基板間にランダムに散布された多数の粒状体（粒状スペーサと呼ばれる）や、感光性樹脂を所定パターンで前記一対の基板の一方の所定位置に塗布し、それを露光・現像して形成されるフォトリソスペーサ（柱状スペーサと呼ばれる）が使用されることが多い。（後者が「柱状スペーサ」と呼ばれるのは、一般に、前記一対の基板間の隙間内の所定位置に配置されると共に、前記一対の基板間に延在し且つそれらを支持する柱の形状を持つからである。）
粒状スペーサは、前記隙間内にランダムに散布されることから、画素上に配置されてしまうことがあり、その場合には、粒状スペーサの周囲で液晶分子の配向にムラが生じてコントラストが大きく低下するという難点がある。また、液晶表示パネルの観察側の基板を薄くしたときに、粒状スペーサの散布の不均一性（ランダム性）に起因して前記隙間にムラが生じやすく、しかも、そのムラは前記一対の基板の剛性低下や歪の解放等によって徐々に拡大するという難点もある。よって、高精細化な液晶表示パネルでは柱状スペーサを使用するのが好ましい。
【００１２】
また、液晶表示パネルの観察側の基板を薄くする際に、研磨加工が使用されることがある。粒状スペーサは、研磨加工中に前記隙間内で移動することがあるため、特定の位置に固まった粒状スペーサが表示ムラとして視認されることがある。よって、研磨加工が使用される場合には、柱状スペーサのように、所定位置に固定して形成されるスペーサの使用が必須となる。
【００１３】
以上の点を考慮して、高精細化な液晶表示パネルでは、柱状スペーサが使用されるのが一般的となっている。
【００１４】
しかし、柱状スペーサを使用した高精細な液晶表示パネルであっても、液晶分子に初期配向を与えるためのラビング処理を配向膜に対して行う際に、柱状スペーサの影になる領域がラビング材の押し込み不足により十分にラビングされず、その領域で液晶分子が配向不良を起こすことがある。また、柱状スペーサの周辺では液晶分子の配向方向が乱されるため、ラビング処理をしない場合でも配向不良を起こすことがある。このようにして柱状スペーサによって生成される液晶分子の配向不良領域は、光漏れ等の不具合を発生させ、コントラストの低下をはじめとする種々の画質低下の原因となる。このような画質低下を防止するには、前記配向不良領域を遮光すればよいが、そうすると開口率が大幅に低下してしまうので、好ましくない。
【００１５】
特に、立体画像表示装置に使用される高精細な液晶表示パネルでは、各画素が微細化されているのに対し、柱状スペーサにはギャップ保持のためにある程度の大きさが必要なため（つまり柱状スペーサについては各画素と同等の微細化ができないため）、各画素内で柱状スペーサの占める割合が、高精細でない画像表示パネルの場合よりも大きくなっている。その結果として、開口率の低下が顕著に現れるので、高精細な画像表示パネルでは開口率低下の防止の必要性が非常に高い。よって、前記配向不良領域を遮光することなく（換言すれば開口率を低下することなく）、当該配向不良領域に起因する画質低下を抑制することが必要である。
【００１６】
また、柱状スペーサは、液晶表示パネルの全面にわたって前記隙間を均一に保持するために、各画素内の高さの揃った特定領域に周期的に配置されるので、柱状スペーサに起因する前記配向不良領域は各画素内の特定領域に周期的に生成される。このため、柱状スペーサが使用された高精細な液晶表示パネルに光学的画像分離素子を組み合わせて構成される立体液晶表示装置のように、複数の視点に異なる画像を表示する表示装置では、前記配向不良領域に起因する光漏れ等の画質低下が特定の観察位置のみで視認される（つまりその画質低下が観察位置に依存して変化する）という難点がある。しかも、各視点用の画像が光学的画像分離素子で拡大表示されるため、前記配向不良領域は観察者に視認されやすいものとなる。
【００１７】
特に、柱状スペーサを左眼用画素と右眼用画素のいずれか一方のみに配置した場合は、左眼用または右眼用の表示画像のみに前記配向不良領域の影響が現れるから、左眼用と右眼用の表示画像の画質の差は顕著となり、非常に視認されやすくなる。よって、前記配向不良領域の配置の周期性に起因する画質低下を抑制することも必要である。
【００１８】
以上のような理由から、柱状スペーサを使用した高精細化な液晶表示パネルでは、できるだけ開口率を低下させずに、柱状スペーサに起因する前記配向不良領域の影響を抑制することが強く望まれる。
【００１９】
上述した特許文献２（特開平０７−５４１７号公報）に開示された液晶立体画像表示装置では、液晶表示パネルの一対の基板間の隙間にスペーサを設けているが、このスペーサは上述した柱状スペーサである。この柱状スペーサは、右眼用表示領域（これは右眼用サブ画素に相当する）と左眼用画像表示領域（これは左眼用サブ画素に相当する）とを区画する区画部毎に設けられ、あるいはレンチキュラレンズの各凸レンズ（これは左眼用サブ画素と右眼用サブ画素から形成される単位画素に等しい幅を持つ）が互いに隣接する境界部毎に設けられるものであり、右眼用サブ画素と左眼用サブ画素とを区画する各区画部、あるいは凸レンズ（単位画素）が互いに隣接する各境界部に沿ってストライプ状に延在している。
【００２０】
柱状スペーサを使用した高精細化な液晶表示パネルにおいて、特許文献２の液晶立体画像表示装置のように、右眼用サブ画素と左眼用サブ画素とを区画する各区画部に沿ってストライプ状に柱状スペーサを配置した場合、この柱状スペーサの幅は、右眼用サブ画素と左眼用サブ画素を画定するブラックマトリクスのそれに比べて大きいため、光が透過しない部分が大きくなり、したがって、平面画像を表示する際に画像が視認できなくなる角度が大きくなる。その結果、立体画像表示装置の正面で、柱状スペーサによって光が透過しない領域（不透光領域）が生じてしまうという問題がある。
【００２１】
この点を図２６を参照して具体的に説明する。図２６において、液晶表示パネル（図示せず）内にマトリックス状に配置された複数の単位画素１０の各々は、相互に隣接して並列された二つのサブ画素、すなわち右眼用サブ画素７と左眼用サブ画素６とから形成される。これらの単位画素１０は、凸状のシリンドリカルレンズからなるレンズ要素２１ａを複数個並列させて構成されたレンチキュラレンズ２１に近接して配置されている。複数の柱状スペーサ１３は、右眼用サブ画素７と左眼用サブ画素６を区画する区画部（境界）の各々に配置されており、紙面に直交してストライプ状に延在している。図２６に示すように、サブ画素６及び７の幅に比べて柱状スペーサ１３の幅が大きいため、それに応じて、光源から照射された光が透過しない部分（不透光部分）もかなり大きい。その結果、当該液晶立体画像表示装置の正面に不透光領域が生じる、換言すれば、画像の見えない領域が生じる恐れがあるという問題がある。
【００２２】
また、特許文献２の液晶立体画像表示装置のように、レンチキュラレンズの凸レンズ（単位画素１０）が互いに隣接する各境界部に沿ってストライプ状に柱状スペーサ１３を配置した場合は、凸レンズ（単位画素１０）のピッチとサブ画素６及び７のピッチに差が生じると、液晶表示パネルの端部では単位画素１０の境界線とサブ画素６及び７の区画部とがずれてしまう。このため、図２７に示すように、サブ画素６及び７の間の区画部に配置されるべき柱状スペーサ１３が、サブ画素６または７と重なって配置されてしまい、所望の画像表示ができない部分が生じてしまうという問題がある。
【００２３】
このように、柱状スペーサを使用した高精細化な液晶表示パネルにおいて、特許文献２の液晶立体画像表示装置に使用されている二つの形態でストライプ状に柱状スペーサ１３を配置することには、いずれも問題があることが分かる。
【００２４】
本発明は以上の点を考慮してなされたものであり、その主たる目的は、できるだけ開口率を低下させずにスペーサに起因する配向不良領域が及ぼす影響を抑制することによって画質低下を低減すると共に、観察位置に依存して画質が変化するのを防止することができ、しかも、特許文献２の液晶立体画像表示装置に使用されている二つの形態で生じる問題を回避することができる表示装置と、その表示装置を用いた端末装置を提供することにある。
【００２５】
ここに明記しない本発明の他の目的は、以下の説明及び添付図面から明らかである。
【課題を解決するための手段】
【００２６】
（１）  本発明の第１の観点による表示装置は、
マトリックス状に配置された複数の単位画素を有すると共に、それら単位画素の各々が第１視点用サブ画素と第２視点用サブ画素を少なくとも含んでいる表示パネルと、
前記第１視点用サブ画素及び前記第２視点用サブ画素を通して生成される画像を分離して、第１視点及び第２視点に向けて出射する光学的画像分離素子とを備え、
前記表示パネルは、所定隙間をあけて接合された一対の基板と、前記隙間内の所定位置に配置された、前記一対の基板を前記所定間隔に保持するためのスペーサとを有しており、
前記スペーサは、前記光学的画像分離素子の画像分離軸に直交する方向にストライプ状に延在していると共に、前記単位画素の各々の前記第１視点用サブ画素と前記第２視点用サブ画素とに均等に重なっていることを特徴とするものである。
【００２７】
本発明の第１の観点による表示装置では、前記表示パネルの複数の単位画素の各々が、第１視点用サブ画素と第２視点用サブ画素を少なくとも含んでおり、また、前記表示パネルの前記隙間内の所定位置に配置された前記スペーサが、前記光学的画像分離素子の画像分離軸に直交する方向にストライプ状に延在していると共に、前記単位画素の各々の前記第１視点用サブ画素と前記第２視点用サブ画素とに均等に重なっている。このため、前記スペーサに起因して生成される配向不良領域は、前記第１視点用サブ画素と前記第２視点用サブ画素とに均等に存在するから、観察位置に依存して画質が変化するのを防止することができる。
【００２８】
また、上記のように、観察位置に依存して画質が変化するのを防止できるため、前記スペーサに起因する配向不良領域のすべてを遮光しなくても、換言すれば、前記スペーサに起因する配向不良領域の一部を遮光するだけで、前記配向不良領域が及ぼす影響を抑制することができる。したがって、できるだけ開口率を低下させずに前記配向不良領域が及ぼす影響を抑制することができるから、画質低下を低減することが可能である。
【００２９】
さらに、前記スペーサが、前記光学的画像分離素子の画像分離軸に直交する方向にストライプ状に延在していると共に、前記単位画素の各々の内部において前記第１視点用サブ画素と前記第２視点用サブ画素とに均等に重なっているため、前記単位画素の内部に生じる不透光部分はそれほど大きくならず、したがって当該表示装置の正面に不透光領域が生じる恐れがない。また、前記単位画素のピッチと前記第１視点用サブ画素及び前記第２視点用サブ画素のピッチに差が生じても、前記スペーサが前記第１視点用サブ画素または前記第２視点用サブ画素と重なって所望の画像表示ができない部分が生じることがない。
【００３０】
よって、特許文献２の液晶立体画像表示装置に使用されている二つの形態で生じる問題を回避することができる。
【００３１】
（２）本発明の第１の観点による表示装置の好ましい例では、前記スペーサは、隣接する複数の前記単位画素にわたって連続して延在する。
【００３２】
（３）本発明の第１の観点による表示装置の他の好ましい例では、前記スペーサは、前記単位画素毎に、または前記第１視点用サブ画素もしくは前記第２視点用サブ画素毎に分断される。この例では、前記スペーサが隣接する複数の前記単位画素にわたって連続して延在する場合に比べて、開口率の低下がいっそう抑制されるという利点がある。
【００３３】
（４）  本発明の第２の観点による表示装置は、前記スペーサが、前記単位画素毎に、または前記第１視点用サブ画素もしくは前記第２視点用サブ画素毎に独立して形成されていると共に、前記光学的画像分離素子の画像分離軸に直交する方向に並んでいる点で、上述した本発明の第１の観点による表示装置とは異なる。
【００３４】
すなわち、本発明の第２の観点による表示装置は、
マトリックス状に配置された複数の単位画素を有すると共に、それら単位画素の各々が第１視点用サブ画素と第２視点用サブ画素を少なくとも含んでいる表示パネルと、
前記第１視点用サブ画素及び前記第２視点用サブ画素を通して生成される画像を分離して、第１視点及び第２視点に向けて出射する光学的画像分離素子とを備え、
前記表示パネルは、所定隙間をあけて接合された一対の基板と、前記隙間内の所定位置に配置された、前記一対の基板を前記所定間隔に保持するためのスペーサとを有しており、
前記スペーサは、前記単位画素毎に、または前記第１視点用サブ画素もしくは前記第２視点用サブ画素毎に独立して形成されていると共に、前記光学的画像分離素子の画像分離軸に直交する方向に並んでおり、
前記単位画素の各々を構成する前記第１視点用サブ画素と前記第２視点用サブ画素に対して設けられた二つの前記スペーサは、前記第１視点用サブ画素と前記第２視点用サブ画素の境界に関して相互に対称に配置されていることを特徴とするものである。
【００３５】
本発明の第２の観点による表示装置では、前記表示パネルの複数の単位画素の各々が、第１視点用サブ画素と第２視点用サブ画素を少なくとも含んでおり、また、前記表示パネルの前記隙間内の所定位置に配置された前記スペーサが、前記単位画素毎に、または前記第１視点用サブ画素もしくは前記第２視点用サブ画素毎に独立して形成されていると共に、前記光学的画像分離素子の画像分離軸に直交する方向に並んでいる。そして、前記単位画素の各々を構成する前記第１視点用サブ画素と前記第２視点用サブ画素に対して設けられた二つの前記スペーサが、前記第１視点用サブ画素と前記第２視点用サブ画素の境界に関して相互に対称に配置されている。
【００３６】
このため、前記スペーサに起因して生成される配向不良領域は、前記単位画素の各々の前記第１視点用サブ画素と前記第２視点用サブ画素とに均等に存在するから、観察位置に依存して画質が変化するのを防止することができる。
【００３７】
また、上記のように、観察位置に依存して画質が変化するのを防止できるため、前記スペーサに起因する配向不良領域のすべてを遮光しなくても、換言すれば、前記スペーサに起因する配向不良領域の一部を遮光するだけで、前記配向不良領域が及ぼす影響を抑制することができる。したがって、できるだけ開口率を低下させずに前記配向不良領域が及ぼす影響を抑制することができるから、画質低下を低減することが可能である。
【００３８】
さらに、前記スペーサが、前記単位画素毎に、または前記第１視点用サブ画素もしくは前記第２視点用サブ画素毎に独立して形成されていると共に、前記単位画素の各々を構成する前記第１視点用サブ画素と前記第２視点用サブ画素に対して設けられた二つの前記スペーサが、前記第１視点用サブ画素と前記第２視点用サブ画素の境界に関して相互に対称に形成されているため、前記単位画素の内部に生じる不透光部分はそれほど大きくならず、したがって当該表示装置の正面に不透光領域が生じる恐れがない。また、前記単位画素のピッチと前記第１視点用サブ画素及び前記第２視点用サブ画素のピッチに差が生じても、前記スペーサが前記第１視点用サブ画素または前記第２視点用サブ画素と重なって所望の画像表示ができない部分が生じることがない。
【００３９】
よって、特許文献２の液晶立体画像表示装置に使用されている二つの形態で生じる問題を回避することができる。
【００４０】
（５）本発明の第２の観点による表示装置の好ましい例では、前記第１視点用サブ画素と前記第２視点用サブ画素の各々の内部に前記スペーサが一個配置される。
【００４１】
（６）本発明の第２の観点による表示装置の好ましい例では、前記第１視点用サブ画素と前記第２視点用サブ画素の各々の内部に前記スペーサが複数個配置される。
【００４２】
（７）本発明の第２の観点による表示装置のさらに好ましい例では、前記第１視点用サブ画素と前記第２視点用サブ画素の各々の内部に前記スペーサが複数個配置され、それらのスペーサが前記光学的画像分離素子の画像分離軸に沿って相互に位置をずらして配置される。この例では、前記スペーサを配置する位置の制約に容易に対応することができるという利点がある。
【００４３】
（８）  本発明の第３の観点による表示装置は、複数の前記単位画素が、前記スペーサを含む第１群と、前記スペーサを含まない第２群とに分けられている点で、上述した本発明の第１及び第２の観点による表示装置とは異なる。
【００４４】
すなわち、本発明の第３の観点による表示装置は、
マトリックス状に配置された複数の単位画素を有すると共に、それら単位画素の各々が第１視点用サブ画素と第２視点用サブ画素を少なくとも含んでいる表示パネルと、
前記第１視点用サブ画素及び前記第２視点用サブ画素を通して生成される画像を分離して、第１視点及び第２視点に向けて出射する光学的画像分離素子とを備え、
前記表示パネルは、所定隙間をあけて接合された一対の基板と、前記隙間内の所定位置に配置された、前記一対の基板を前記所定間隔に保持するためのスペーサとを有しており、
複数の前記単位画素は、前記スペーサを含む第１群と、前記スペーサを含まない第２群とに分けられており、
前記第１群の前記単位画素では、前記スペーサは、前記単位画素毎に、または前記第１視点用サブ画素もしくは前記第２視点用サブ画素毎に独立して形成されていると共に、前記光学的画像分離素子の画像分離軸に直交する方向に並んでおり、
相互に隣接する前記第１群の前記単位画素と前記第２群の前記単位画素は、前記スペーサによって生成される配向不良領域による影響を相互に補償するように配置されていることを特徴とするものである。
【００４５】
本発明の第３の観点による表示装置では、前記表示パネルの複数の前記単位画素が、前記スペーサを含む第１群と、前記スペーサを含まない第２群とに分けられており、前記単位画素の各々が第１視点用サブ画素と第２視点用サブ画素を少なくとも含んでいる。また、前記表示パネルの前記隙間内の所定位置に配置された前記スペーサが、前記単位画素毎に、または前記第１視点用サブ画素もしくは前記第２視点用サブ画素毎に独立して形成されていると共に、前記光学的画像分離素子の画像分離軸に直交する方向に並んでいる。そして、相互に隣接する前記第１群の前記単位画素と前記第２群の前記単位画素が、前記スペーサによって生成される配向不良領域による影響を相互に補償するように配置されている。このため、観察位置に依存して画質が変化するのを防止することができる。
【００４６】
また、上記のように観察位置に依存して画質が変化するのを防止できるため、前記スペーサに起因する配向不良領域のすべてを遮光しなくても、換言すれば、前記スペーサに起因する配向不良領域の一部を遮光するだけで、前記配向不良領域が及ぼす影響を抑制することができる。したがって、できるだけ開口率を低下させずに前記配向不良領域が及ぼす影響を抑制することができるから、画質低下を低減することが可能である。
【００４７】
さらに、前記第１群の前記単位画素では、前記スペーサが、前記単位画素毎に、または前記第１視点用サブ画素もしくは前記第２視点用サブ画素毎に独立して形成されていると共に、前記光学的画像分離素子の画像分離軸に直交する方向に並んでいて、相互に隣接する前記第１群の前記単位画素と前記第２群の前記単位画素が、前記スペーサによって生成される配向不良領域による影響を相互に補償するように配置されているため、前記第１群の前記単位画素の内部に生じる不透光部分はそれほど大きくならず、したがって当該表示装置の正面に不透光領域が生じる恐れがない。
【００４８】
また、前記単位画素のピッチと前記第１視点用サブ画素及び前記第２視点用サブ画素のピッチに差が生じても、前記スペーサが前記第１視点用サブ画素または前記第２視点用サブ画素と重なって所望の画像表示ができない部分が生じることがない。
【００４９】
よって、特許文献２の液晶立体画像表示装置に使用されている二つの形態で生じる問題を回避することができる。
【００５０】
（９）本発明の第３の観点による示装置の好ましい例では、前記第１群の前記単位画素が前記マトリックスの一部の列に沿って配置されると共に、前記第２群の前記単位画素が前記マトリックスの残りの列に沿って配置されており、前記第１群の前記単位画素と前記第２群の前記単位画素が前記マトリックスの行に沿って交互に配置される。
【００５１】
（１０）本発明の第３の観点による表示装置の他の好ましい例では、前記第１群の前記単位画素が前記マトリックスの一部の行に沿って配置されると共に、前記第２群の前記単位画素が前記マトリックスの残りの行に沿って配置されており、前記第１群の前記単位画素と前記第２群の前記単位画素が前記マトリックスの列に沿って交互に配置される。
【００５２】
（１１）本発明の第３の観点による表示装置のさらに他の好ましい例では、前記第１群の前記単位画素と前記第２群の前記単位画素が、前記マトリックスの行及び列に沿って交互に配置されて市松模様を形成する。
【００５３】
（１２）本発明の第３の観点による表示装置のさらに他の好ましい例では、前記第１群の前記単位画素の各々の内部に前記スペーサが一個配置される。
【００５４】
（１３）本発明の第３の観点による表示装置のさらに他の好ましい例では、前記第１群の前記単位画素の各々の内部に前記スペーサが複数個配置される。
【００５５】
（１４）本発明の第３の観点による表示装置のさらに好ましい例では、前記第１群の前記単位画素の各々の内部に前記スペーサが複数個配置され、それらスペーサが前記光学的画像分離素子の画像分離軸に沿って相互に位置をずらして配置される。この例では、前記スペーサを配置する位置の制約に容易に対応することができるという利点がある。
【００５６】
（１５）  本発明の第４の観点による表示装置は、複数の単位画素が、第１視点用サブ画素のみにスペーサを含む第１群と、第２視点用サブ画素のみにスペーサを含む第２群とに分けられている点で、上述した本発明の第３の観点による表示装置とは異なる。
【００５７】
すなわち、本発明の第４の観点による表示装置は、
マトリックス状に配置された複数の単位画素を有すると共に、それら単位画素の各々が第１視点用サブ画素と第２視点用サブ画素を少なくとも含んでいる表示パネルと、
前記第１視点用サブ画素及び前記第２視点用サブ画素を通して生成される画像を分離して、第１視点及び第２視点に向けて出射する光学的画像分離素子とを備え、
前記表示パネルは、所定隙間をあけて接合された一対の基板と、前記隙間内の所定位置に配置された、前記一対の基板を前記所定間隔に保持するためのスペーサとを有しており、
複数の前記単位画素は、前記第１視点用サブ画素のみに前記スペーサを含む第１群と、前記第２視点用サブ画素のみに前記スペーサを含む第２群とに分けられており、
前記第１群の前記単位画素では、前記スペーサは、前記第１視点用サブ画素毎に独立して形成されていると共に、前記光学的画像分離素子の画像分離軸に直交する方向に並んでおり、
前記第２群の前記単位画素では、前記スペーサは、前記第２視点用サブ画素毎に独立して形成されていると共に、前記光学的画像分離素子の画像分離軸に直交する方向に並んでおり、
相互に隣接する前記第１群の前記単位画素と前記第２群の前記単位画素は、前記スペーサによって生成される配向不良領域による影響を相互に補償するように配置されていることを特徴とするものである。
【００５８】
本発明の第４の観点による表示装置では、前記表示パネルの複数の前記単位画素が、複数の前記単位画素は、前記第１視点用サブ画素のみに前記スペーサを含む第１群と、前記第２視点用サブ画素のみに前記スペーサを含む第２群とに分けられており、前記単位画素の各々が第１視点用サブ画素と第２視点用サブ画素を少なくとも含んでいる。また、前記第１群の前記単位画素では、前記スペーサが、前記第１視点用サブ画素毎に独立して形成されていると共に、前記光学的画像分離素子の画像分離軸に直交する方向に並んでいる。前記第２群の前記単位画素では、前記スペーサが、前記第２視点用サブ画素毎に独立して形成されていると共に、前記光学的画像分離素子の画像分離軸に直交する方向に並んでいる。そして、相互に隣接する前記第１群の前記単位画素と前記第２群の前記単位画素は、前記スペーサによって生成される配向不良領域による影響を相互に補償するように配置されている。このため、観察位置に依存して画質が変化するのを防止することができる。
【００５９】
また、上記のように観察位置に依存して画質が変化するのを防止できるため、前記スペーサに起因する配向不良領域のすべてを遮光しなくても、換言すれば、前記スペーサに起因する配向不良領域の一部を遮光するだけで、前記配向不良領域が及ぼす影響を抑制することができる。したがって、できるだけ開口率を低下させずに前記配向不良領域が及ぼす影響を抑制することができるから、画質低下を低減することが可能である。
【００６０】
さらに、前記第１群の前記単位画素では、前記スペーサが、前記第１視点用サブ画素毎に独立して形成されていると共に、前記光学的画像分離素子の画像分離軸に直交する方向に並んでおり、前記第２群の前記単位画素では、前記スペーサが、前記第２視点用サブ画素毎に独立して形成されていると共に、前記光学的画像分離素子の画像分離軸に直交する方向に並んでいる。そして、相互に隣接する前記第１群の前記単位画素と前記第２群の前記単位画素は、前記スペーサによって生成される配向不良領域による影響を相互に補償するように配置されている。このため、前記単位画素の各々の内部に生じる不透光部分はそれほど大きくならず、したがって当該表示装置の正面に不透光領域が生じる恐れがない。
【００６１】
また、前記単位画素のピッチと前記第１視点用サブ画素及び前記第２視点用サブ画素のピッチに差が生じても、前記スペーサが前記第１視点用サブ画素または前記第２視点用サブ画素と重なって所望の画像表示ができない部分が生じることがない。
【００６２】
よって、特許文献２の液晶立体画像表示装置に使用されている二つの形態で生じる問題を回避することができる。
【００６３】
（１６）本発明の第４の観点による表示装置の好ましい例では、前記第１群の前記単位画素が前記マトリックスの一部の列に沿って配置されると共に、前記第２群の前記単位画素が前記マトリックスの残りの列に沿って配置されており、前記第１群の前記単位画素と前記第２群の前記単位画素が前記マトリックスの行に沿って交互に配置される。
【００６４】
（１７）本発明の第４の観点による表示装置の好ましい例では、前記第１群の前記単位画素が前記マトリックスの一部の行に沿って配置されると共に、前記第２群の前記単位画素が前記マトリックスの残りの行に沿って配置されており、前記第１群の前記単位画素と前記第２群の前記単位画素が前記マトリックスの列に沿って交互に配置される。
【００６５】
（１８）本発明の第４の観点による表示装置の好ましい例では、前記第１群の前記単位画素と前記第２群の前記単位画素が、前記マトリックスの行及び列に沿って交互に配置されて、市松模様を形成する。
【００６６】
（１９）本発明の第４の観点による表示装置のさらに他の好ましい例では、前記第１群の前記単位画素と前記第２群の前記単位画素の各々の内部に、前記スペーサが一個配置される。
【００６７】
（２０）本発明の第４の観点による表示装置のさらに他の好ましい例では、前記第１群の前記単位画素と前記第２群の前記単位画素の各々の内部に、前記スペーサが複数個配置される。
【００６８】
（２１）本発明の第４の観点による表示装置のさらに好ましい例では、前記第１群の前記単位画素と前記第２群の前記単位画素の各々の内部に、前記スペーサが複数個配置され、それらスペーサが前記光学的画像分離素子の画像分離軸に沿って相互に位置をずらして配置される。この例では、前記スペーサを配置する位置の制約に容易に対応することができるという利点がある。
【００６９】
（２３）本発明の第１〜第４の観点による表示装置の好ましい例では、前記光学的画像分離素子として、複数のレンズ要素を連結して形成されたレンチキュラレンズを含んでいる場合、前記スペーサに起因する配向不良領域の大きさをＡとし、前記レンズ要素のピッチをＬ、前記レンズ要素の焦点距離をｆ、前記レンズ要素と前記単位画素との距離をＨとしたとき、
ｆ＜Ｌ×Ｈ／（Ｌ＋Ａ）
となるように前記距離Ｈが設定される。
【００７０】
（２３）本発明の第５の観点による端末装置は、上述した本発明の第１〜第４の観点による表示装置のいずれかを備えたことを特徴とする。
【００７１】
本発明の第５の観点による端末装置では、上述した本発明の第１〜第４の観点による表示装置のいずれかと同じ効果が得られる。
【発明の効果】
【００７２】
本発明の第１〜第４の観点による表示装置と本発明の第５の観点による端末装置では、できるだけ開口率を低下させずにスペーサに起因する配向不良領域が及ぼす影響を抑制することによって画質低下を低減すると共に、観察位置に依存して画質が変化するのを防止することができ、しかも、特許文献２の液晶立体画像表示装置に使用されている二つの形態で生じる問題を回避することができる、という効果が得られる。
【発明を実施するための最良の形態】
【００７３】
以下、本発明の好適な実施の形態について添付図面を参照しながら説明する。
【００７４】
（第１実施形態）
図１〜図４は、本発明の第１実施形態に係る表示装置を示している。図１は当該表示装置にレンチキュラレンズと共に使用された液晶表示パネルの単位画素の構成を示す一部切欠部分説明図であり、図２はその液晶表示パネルを構成する主基板の構成を示す部分平面図であり、図３はその液晶表示パネルを構成する対向基板の構成を示す概略部分平面図であり、図４は当該表示装置の構成を示す一部切欠部分斜視図である。
【００７５】
本発明の第１実施形態の表示装置は、図４に示したように、表示パネル１００とレンチキュラレンズ３０１とを備えて構成されている。
【００７６】
表示パネル１００は、液晶表示パネルの構成を有しており、主基板１０１と、所定の隙間をあけて主基板１０１に接合・一体化された対向基板２０１と、両基板１０１及び２０１の間の隙間内に充填された液晶層４０４とを備えている。主基板１０１と対向基板２０１の間の隙間は、両基板１０１及び２０１の間の所定位置に固定・配置された複数のスペーサ２０３によって、液晶表示パネル１００の全面にわたってほぼ均一に保持されている。各スペーサ２０３はストライプ状である。
【００７７】
主基板１０１は、図２に示すように、図２の横方向（ｘ方向）に延在し且つ同図の縦方向（ｙ方向）に等間隔で配置された複数本のゲート配線１０３と、図２の縦方向（ｙ方向）に延在し且つ同図の横方向（ｘ方向）に等間隔で配置された複数本のソース配線１０４とを有している。ゲート配線１０３とソース配線１０４によって形成される格子状の領域には、遮光部１１７が形成されており、その遮光部１１７によって形成される複数の略矩形領域の各々が、画素領域１０９となっている。これらの画素領域１０９は、全体として所定数の行と所定数の列を有するマトリックス状に配列されている。主基板１０１上にあるこれらの要素は、図示しない透明ガラス基板上に形成されている。
【００７８】
各画素領域１０９の内部には、対応するゲート配線１０３と一体的に形成されたゲート電極１０３ａと、対応するソース配線１０４と一体的に形成されたソース電極１０４ａと、画素電極１０５と、画素電極１０５と一体的に形成されたドレイン電極１０５ａとが形成されている。ゲート電極１０３ａ、ソース電極１０４ａ及びドレイン電極１０５ａと、図示しない半導体膜及びゲート絶縁膜とは、薄膜トランジスタ（Thin-Film Transistor、ＴＦＴ）１０２を構成する。
【００７９】
対向基板２０１は、図３に示すように、複数の矩形の透孔を有するブラックマトリックス２０２と、ブラックマトリックス２０２の透孔の各々に配置された色層２０４と、スペーサ２０３とを備えている。色層２０４の各々は、ブラックマトリックス２０２によって囲まれている。対向基板２０１上のこれらの要素は、図示しない透明ガラス基板上に形成されている。色層２０４は、三原色である赤色（Ｒ）、緑色（Ｇ）または青色（Ｂ）を有していて、所定の格子状パターンで配置されている。ブラックマトリックス２０２の格子状パターンは、主基板１０１上の遮光部の格子状領域と同じ形であり、ｘ方向及びｙ方向に所定間隔で配置されている。
【００８０】
レンチキュラレンズ３０１は、図１及び図４に示すように、蒲鉾状の凸型シリンドリカルレンズからなるレンズ要素３０１ａを複数個、一方向に連結して構成されている。レンチキュラレンズ３０１は、表示パネル１００の前面、すなわち対向基板２０１の側の面に配置されている。各レンズ要素３０１ａは、その中心軸に対して左右に画像を分離して左眼（第１視点）及び右眼（第２視点）に向けて送るので、その画像分離軸は各レンズ要素３０１ａの中心軸であり、ｙ方向に平行である。サブ画素並列方向はｘ方向であるから、画像分離軸とサブ画素並列方向とは相互に直交している。
【００８１】
レンチキュラレンズ３０１は、左眼用サブ画素１０６及び右眼用サブ画素１０７を通して生成される画像を分離して、左眼（第１視点）及び右眼（第２視点）に向けて出射する光学的画像分離素子として機能する。
【００８２】
表示パネル１００上には、複数の単位画素１１０が形成されている。単位画素１１０の各々は、図１に示すように、主基板１０１上に形成された左眼用サブ画素１０６と右眼用サブ画素１０７とから構成されており、レンチキュラレンズ３０１の一つのレンズ要素３０１ａ（シリンドリカルレンズ）に対応して配置されている。つまり、一つの単位画素１１０内の左眼用サブ画素１０６と右眼用サブ画素１０７は、レンチキュラレンズ３０１の対応するレンズ要素３０１ａ（シリンドリカルレンズ）と重なり合っているのである。左眼用サブ画素１０６と右眼用サブ画素１０７は、それぞれ、対向基板２０１上の対応する色層２０４と一対一で重なり合っている。
【００８３】
表示パネル１００上のすべての単位画素１１０は、主基板１０１上において縦横に規則的に配置されており、マトリックスを形成している。したがって、単位画素１１０は、当該マトリックスの行方向（ｘ方向）に並列されると共に、同マトリックスの列方向（ｙ方向）に並列されている。各単位画素１１０を構成する左眼用サブ画素１０６と右眼用サブ画素１０７は、当該マトリックスの行方向に交互に配置されているので、サブ画素の配列方向は当該マトリックスの行方向（図１の水平方向）である。
【００８４】
スペーサ２０３の各々は、単位画素１１０のマトリックスの全面にわたって連続してｘ方向に延在するストライプ状とされている。スペーサ２０３は、図３に示すように、対向基板２０１上に形成されている。スペーサ２０３の位置は、左眼用サブ画素１０６及び右眼用サブ画素１０７の並列方向（ｘ方向）に直交する方向（ｙ方向）にある端部と重なる位置であり、ブラックマトリックス２０２のｘ方向に延在する部分とは重なっていない。なお、スペーサ２０３の位置は、ブラックマトリックス２０２のｘ方向に延在する部分と重なる位置でもよい。
【００８５】
スペーサ２０３は通常、対向基板２０１上のブラックマトリックス２０２及び色層２０４を覆うように形成されたオーバーコート層（図示せず）上に形成されるが、これに限定されない。
【００８６】
ここでは、サブ画素配列方向への単位画素１１０のピッチは、レンチキュラレンズ３０１のレンズ要素３０１ａの配置ピッチと等しくされている。しかし、サブ画素配列方向への単位画素１１０のピッチは、観察距離に応じて、レンズ要素３０１ａの配置ピッチとは異なっていてもよい。
【００８７】
図４は、主基板１０１と対向基板２０１とレンチキュラレンズ３０１を重ね合わせた状態の斜視図である。
【００８８】
表示パネル１００の製造工程では、主基板１０１と対向基板２０１の製造工程が終了した後、主基板１０１と対向基板２０１の内側にそれぞれ配向膜（図示せず）を形成してから、各配向膜に対して、図５の矢印に示す方向のラビング処理を行う。この時、スペーサ２０３の陰になっている領域１０８では、ラビング材の押し込みが不足し、当該配向膜に付与される配向性能が所望のものよりも低下する。このため、図５の領域１０８は配向不良領域となる。
【００８９】
ラビング処理の終了後、真空チャンバー（図示せず）内で、シール材（図示せず）を用いて主基板１０１と対向基板２０１を表示領域を取り囲むように重ね合わせ、また主基板１０１と対向基板２０１の間の隙間に液晶を充填する。そして、前記シール材を硬化させることにより、主基板１０１と対向基板２０１を接合一体化すると共に、前記隙間を封止する。こうして、主基板１０１と対向基板２０１の間の隙間に液晶層４０４が形成され、表示パネル１００が完成する。
【００９０】
こうして得られた表示パネル１００の対向基板２０１側の面にレンチキュラレンズ３０１を装着し、さらに所定の駆動用ＬＳＩとバックライト装置を装着すると、図１〜図４に示した本第１実施形態の表示装置が完成する。
【００９１】
図６及び図７は、スペーサ２０３ａを使用した場合に、スペーサ２０３ａの周辺に存在する液晶分子４０３の配向状態を示している。説明を容易にするために、ここでは円柱形の柱状スペーサ２０３ａを使用している。
【００９２】
図６は、液晶分子４０３を主基板１０１（及び対向基板２０１）と平行に配向させた時の、柱状スペーサ２０３ａの周辺での液晶分子４０３の状態を示している。図６から分かるように、柱状スペーサ２０３ａの周辺で液晶分子４０３の配向が乱されている。すなわち、柱状スペーサ２０３ａの周辺には配向不良領域１０８ａが形成されている。
【００９３】
図７は、液晶分子４０３を主基板１０１（及び対向基板２０１）に対して垂直に配向させた時の、柱状スペーサ２０３ａの周辺での液晶分子４０３の状態を示している。図７から分かるように、柱状スペーサ２０３ａの外側面に存在する配向膜４０２の影響により、柱状スペーサ２０３ａの周辺で液晶分子４０３の配向が乱されている。すなわち、柱状スペーサ２０３ａの周辺には配向不良領域１０８ｂが形成されている。
【００９４】
画素解像度が低い場合は、図３に示されたブラックマトリックス２０２の占有領域を少し大きくして、図５〜図７に示した配向不良領域１０８、１０８ａ及び１０８ｂを隠す（遮光する）ことが可能である。しかし、画素解像度が高くなると、ブラックマトリックス２０２の占有領域の増加は、開口率の大幅な低下を招いてしまうため、配向不良領域１０８、１０８ａ及び１０８ｂのすべてを遮光することは困難な場合がある。このような状況において、左眼用または右眼用の表示画像のみに配向不良領域１０８、１０８ａ及び１０８ｂが含まれて、他方の表示画像には含まれていない場合には、画像単体では視認できないレベルの表示むらやディスクリネーションであっても、観察者はそれを感知することができる。特に、平面画像表示をする場合と立体画像表示をする場合とで解像度が同じである表示装置（特許文献１を参照）において、平面画像表示を行った場合は、その傾向がいっそう強くなる。
【００９５】
これに対し、本第１実施形態の表示装置では、対向基板２０１上にあるスペーサ２０３が、隣接する単位画素１１０の境界にある遮光部の近傍に配置されていると共に、単位画素１１０の全幅（ｙ方向の全長）にわたって連続して延在するストライプ状とされているため、スペーサ２０３は左眼用サブ画素１０６と右眼用サブ画素１０７の内部に均等に存在する。よって、配向不良領域１０８、１０８ａ及び１０８ｂが存在していても、左眼用の表示画像と右眼用の表示画像とが同等に影響を受けるため、観察者は両表示画像の間の差分を感知することが困難となる。換言すれば、スペーサ２０３に起因する表示むらが観察位置に依存して変化しないことになる。
【００９６】
配向不良領域１０８、１０８ａ及び１０８ｂによる影響をさらに抑制するために、レンチキュラレンズ３０１の各レンズ要素３０１ａの焦点距離を、各レンズ要素３０１ａと対応する単位画素１１０の間の距離とは異なる値にすることもできる。
【００９７】
図８に示すように、配向不良領域１０８、１０８ａまたは１０８ｂの大きさ（ｘ方向の長さ）をＡとし、レンチキュラレンズ３０１のレンズ要素３０１ａの配置ピッチと焦点距離をそれぞれＬ及びｆとし、レンズ要素３０１ａと単位画素１１０との距離をＨとした場合、
ｆ＜Ｌ×Ｈ／（Ｌ＋Ａ）
を満足するように、レンズ要素３０１ａと単位画素１１０との距離Ｈを設定するのが望ましい。
【００９８】
図１〜図４に示した本第１実施形態の表示装置では、以上説明したように、表示パネル１００の複数の単位画素１１０の各々が、左眼（第１視点）用サブ画素１０６と右眼（第２視点）用サブ画素１０７を含んでおり、また、表示パネル１００の隙間内の所定位置に配置されたスペーサ２０３が、レンチキュラレンズ３０１の画像分離軸に直交するｘ方向にストライプ状に延在していると共に、単位画素１１０の各々の左眼用サブ画素１０６と右眼用サブ画素１０７とに均等に重なっている。このため、スペーサ２０３に起因して生成される配向不良領域４０８、４０８ａ及び４０８ｂは、両サブ画素１０６と１０７に均等に存在するから、観察位置に依存して画質が変化するのを防止することができる。
【００９９】
また、上記のように、観察位置に依存して画質が変化するのを防止できるため、スペーサ２０３に起因する配向不良領域４０８、４０８ａ及び４０８ｂのすべてを遮光しなくても、換言すれば、配向不良領域４０８、４０８ａ及び４０８ｂの一部を遮光するだけで、配向不良領域４０８、４０８ａ及び４０８ｂが及ぼす影響を抑制することができる。したがって、できるだけ開口率を低下させずに配向不良領域４０８、４０８ａ及び４０８ｂが及ぼす影響を抑制することができるから、画質低下を低減することが可能である。
【０１００】
さらに、スペーサ２０３が、レンチキュラレンズ３０１の画像分離軸に直交するｘ方向にストライプ状に延在していると共に、単位画素１１０の各々の内部において両サブ画素１０６と１０７に均等に重なっているため、単位画素１１０の内部に生じる不透光部分はそれほど大きくならず、したがって当該表示装置の正面に不透光領域が生じる恐れがない。
【０１０１】
また、単位画素１１０のピッチと両サブ画素１０６と１０７のピッチに差が生じても、スペーサ２０３が両サブ画素１０６と１０７と重なって所望の画像表示ができない部分が生じることがない。
【０１０２】
よって、特許文献２の液晶立体画像表示装置に使用されている二つの形態で生じる問題を回避することができる。
【０１０３】
なお、本第１実施形態では、光学的画像分離手段としてレンチキュラレンズ３０１を用いているが、レンチキュラレンズ３０１の代わりに公知の視差バリアを用いてもよい。また、本第１実施形態では、スペーサ２０３を対向基板２０１上に配置しているが、主基板１０１上に配置してもよい。
【０１０４】
（第２実施形態）
図９及び図１０は、本発明の第２実施形態に係る表示装置に使用される表示パネル１００Ａの構成を示す。
【０１０５】
本第２実施形態の表示装置の表示パネル１００Ａは、上記第１実施形態の表示装置の表示パネル１００においてストライプ状に延在していたスペーサ２０３が分断され、各単位画素１１０を構成する左眼用サブ画素１０６と右眼用サブ画素１０７毎に、独立したスペーサ２０３が配置された点を除いて、上記第１実施形態の表示装置の表示パネル１００と同じである。つまり、左眼用サブ画素１０６と右眼用サブ画素１０７毎に不連続に配置されたスペーサ２０３を備えているのである。よって、同一構成の部分については、対応する要素に上記第１実施形態で使用されたものと同一符号を付してその説明を省略する。
【０１０６】
本第２実施形態の表示装置では、上述した第１実施形態の表示装置と同じ効果が得られることは明らかである。
【０１０７】
図１１は、本第２実施形態の表示装置の変形例を示す。図９及び図１０の表示装置は、各単位画素１１０に対してスペーサ２０３を一つ配置しているのに対し、この変形例では、各単位画素１１０に対してスペーサ２０３を二つ配置している点が異なる。このように、各単位画素１１０に対して複数のスペーサ２０３を配置してもよい。複数のスペーサ２０３の位置を方向に少しずらしてもよい。
【０１０８】
本第２実施形態及びその変形例において、スペーサ２０３の形状は、円柱、角柱、楕円柱などの任意の形状をとることができる。また、高さ方向にテーパーを有する形状でもよい。これは、他の実施形態でも同様である。
【０１０９】
（第３実施形態）
図１２〜図１６は、本発明の第３実施形態に係る表示装置に使用される表示パネルの構成を示す。
【０１１０】
図１２の構成は、左目用サブ画素１０６と右目用サブ画素１０７にそれぞれ一つのスペーサ２０３を配置してなる単位画素１１０を、マトリックスの１列おきに配置したものである。この構成では、１行２列（１×２）の単位画素１１０を用いて、スペーサ２０３による配向不良領域４０８、４０８ａ及び４０８ｂが画質に及ぼす影響を補償する。
【０１１１】
図１３の構成は、図１２と同じ単位画素１１０を、マトリックスの１行おきに配置したものである。この構成では、２行１列（２×１）の単位画素１１０を用いて、スペーサ２０３による配向不良領域４０８、４０８ａ及び４０８ｂが画質に及ぼす影響を補償する。
【０１１２】
図１４の構成は、図１２と同じ単位画素１１０を、マトリックスの１行おき、１列おきに配置し、市松模様を形成するようにしたものである。この構成では、２行２列（２×２）の単位画素１１０を用いて、スペーサ２０３による配向不良領域４０８、４０８ａ及び４０８ｂが画質に及ぼす影響を補償する。
【０１１３】
図１５の構成は、左目用サブ画素１０６のみに一つのスペーサ２０３を配置してなる単位画素１１０を含む行と、右目用サブ画素１０７のみに一つのスペーサ２０３を配置してなる単位画素１１０を含む行とが、ｘ方向に交互に並んでいる。この構成では、１行２列（１×２）の単位画素１１０を用いて、スペーサ２０３による配向不良領域４０８、４０８ａ及び４０８ｂが画質に及ぼす影響を補償する。
【０１１４】
図１６は、図１５と同様に、左目用サブ画素１０６のみに一つのスペーサ２０３を配置してなる単位画素１１０を含む行と、右目用サブ画素１０７のみに一つのスペーサ２０３を配置してなる単位画素１１０を含む行とが、ｘ方向に交互に並んでいるが、列毎に左目用サブ画素１０６のスペーサ２０３の位置と右目用サブ画素１０７のスペーサ２０３の位置とが反転している。この構成では、２行２列（２×２）の単位画素１１０を用いて、スペーサ２０３による配向不良領域４０８、４０８ａ及び４０８ｂが画質に及ぼす影響を補償する。
【０１１５】
本第３実施形態の表示装置においても、上述した第１実施形態の表示装置と同じ効果が得られるが、それに加えて以下のような効果も得られる。すなわち、画素解像度が高くなるにつれて、１画素ごとの差異を見分けることが困難となるため、本第３実施形態のように、左目用サブ画素１０６のみに一つのスペーサ２０３を配置してなる単位画素１１０を含む行と、右目用サブ画素１０７のみに一つのスペーサ２０３を配置してなる単位画素１１０を含む行とを交互に並べることにより、開口率を高めると共に、配向不良領域４０８、４０８ａ及び４０８ｂによる表示むらの影響を抑えることができるのである。
【０１１６】
本第３実施形態でも、主基板１０１と対向基板２０１の間の隙間の均一性が保持される限りにおいて、２列以上もしくは２行以上の間隔をあけてスペーサ２０３を配置してもよい。
【０１１７】
（第４実施形態）
図１７〜図１８は、本発明の第４実施形態に係る表示装置に使用される表示パネルの構成を示す。
【０１１８】
図１７の構成は、左目用サブ画素１０６のみに一つのスペーサ２０３を配置してなる単位画素１１０を含む行と、右目用サブ画素１０７のみに一つのスペーサ２０３を配置してなる単位画素１１０を含む行とが、ｙ方向に交互に並んでいる。左目用サブ画素１０６のスペーサ２０３は、当該サブ画素１０６内で左側に寄っているものと、当該サブ画素１０６内で右側に寄っているものとがある。右目用サブ画素１０７のスペーサ２０３は、当該サブ画素１０７内で左側に寄っているものと、当該サブ画素１０７内で右側に寄っているものとがある。この構成では、２行２列（２×２）の単位画素１１０を用いて、配向不良領域４０８、４０８ａ及び４０８ｂによる影響を補償する。
【０１１９】
図１８の構成は、図１７と同様に、左目用サブ画素１０６のみに一つのスペーサ２０３を配置してなる単位画素１１０を含む行と、右目用サブ画素１０７のみに一つのスペーサ２０３を配置してなる単位画素１１０を含む行とが、ｙ方向に交互に並んでいる。左目用サブ画素１０６のスペーサ２０３は、当該サブ画素１０６内で左側に寄っているものと、当該サブ画素１０６内で右側に寄っているものとがある。右目用サブ画素１０７のスペーサ２０３は、当該サブ画素１０７内で左側に寄っているものと、当該サブ画素１０７内で右側に寄っているものとがある。しかし、第３行及び第４行におけるスペーサ２０３の配置と、第１行及び第２行におけるスペーサ２０３の配置とが、相互に反転している点で、図１７の構成とは異なる。この構成では、４行４列（４×４）の単位画素１１０を用いて、配向不良領域４０８、４０８ａ及び４０８ｂによる影響を補償する。
【０１２０】
本第４実施形態に係る表示装置では、左目用サブ画素１０６と右目用サブ画素１０７に予め、スペーサ２０３を配置すべき箇所を２箇所以上設けておき、そのうちの１箇所にスペーサ２０３を配置する。そして、スペーサ２０３の配置個所を列毎あるいは行毎に変える構成となっている。こうして、スペーサ２０３による配向不良領域４０８、４０８ａ及び４０８ｂの影響を、複数行・複数列を用いて補償することができる。こうすると、画素解像度を高くした場合にスペーサ２０３の影響を小さくできるため、上述した第１実施形態の表示装置と同じ効果に加えて、高画質化に大きく寄与するという効果がある。
【０１２１】
本第４実施形態でも、主基板１０１と対向基板２０１の間の隙間の均一性が保持される限りにおいて、２列以上もしくは２行以上の間隔をあけてスペーサ２０３を配置してもよい。
【０１２２】
（第５実施形態）
図１９〜図２０は、本発明の第５実施形態に係る表示装置に使用される表示パネルの構成を示す。
【０１２３】
図１９の構成は、上記第３実施形態の図１５の構成とほぼ同じであるが、各単位画素１１０の左目用サブ画素１０６または右目用サブ画素１０７に、二つのスペーサ２０３をｘ方向に並置した点が異なっている。
【０１２４】
図２０の構成は、図１９の各単位画素１１０の左目用サブ画素１０６または右目用サブ画素１０７において、二つのスペーサ２０３の一方をｙ方向に少しシフトさせた点が異なっている。
【０１２５】
画素が高精細化されていくと、それに伴い、各単位画素１１０や各サブ画素１０６及び１０７内でスペーサ２０３を配置できる位置に制約が生じてくる。このため、小さいサイズのスペーサ２０３でギャップ均一性を確保するために、同一の単位画素１１０や同一のサブ画素１０６及び１０７画素内に複数のスペーサ２０３を配置することにより、上述した第１実施形態の表示装置と同じ効果に加えて、ギャップ均一性を高めることができる、という効果がある。
【０１２６】
本第５実施形態でも、主基板１０１と対向基板２０１の間の隙間の均一性が保持される限りにおいて、２列以上もしくは２行以上の間隔をあけてスペーサ２０３を配置してもよい。
【０１２７】
（第６実施形態）
図２１は、本発明の第６実施形態に係る表示装置に使用される単位画素の構成を示しており、図２２は図２１の単位画素の構成を用いた表示パネルの構成を示す。本実施形態は、４視点用である。
【０１２８】
図２１（ａ）は、４視点用の単位画素１２０の基本的な構成を示す。この単位画素１２０は、第１視点用サブ画素１２１と第２視点用サブ画素１２２と第３視点用サブ画素１２３と第４視点用サブ画素１２４とを一列に並べて構成されている。スペーサ２０３は、ストライプ状で、これら四つのサブ画素１２１、１２２、１２３及び１２４の端部に配置されている。換言すれば、単位画素１２０毎に一つのスペーサ２０３を配置したものである。
【０１２９】
図２１（ｂ）は、四つのサブ画素１２１、１２２、１２３及び１２４毎にスペーサ２０３を配置した構成である。
【０１３０】
図２１（ｃ）は、二つのサブ画素１２１と１２３にスペーサ２０３を配置し、他の二つのサブ画素１２２と１２４にスペーサ２０３を配置しない構成である。
【０１３１】
図２１（ｄ）は、二つのサブ画素１２２と１２３にスペーサ２０３を配置し、他の二つのサブ画素１２１と１２４にスペーサ２０３を配置しない構成である。
【０１３２】
図２２の表示パネルに使用された単位画素１２０は、四つのサブ画素１２１、１２２、１２３及び１２４のいずれか一つのみにスペーサ２０３を配置し、他の三つのサブ画素にスペーサ２０３を配置しない構成である。上記第３実施形態の図１４または図１６に示した構成と同様に、２行２列（２×２）の単位画素１２０を用いて、スペーサ２０３による配向不良領域４０８、４０８ａ及び４０８ｂが画質に及ぼす影響を補償する。
【０１３３】
本第６実施形態においても、上述した第１実施形態の表示装置と同じ効果が得られる。
【０１３４】
なお、本第６実施形態では４視点について述べているが、４視点以外の多視点にも適用可能である。
【０１３５】
（第７実施形態）
図２３〜図２４は、本発明の第７実施形態に係る表示装置に使用される表示パネルの構成を示す。本実施形態はカラー表示用である。
【０１３６】
図２３の構成では、各単位画素１１０Ａが、左目用赤色サブ画素１１１と、右眼用赤色サブ画素１１２と、左目用緑色サブ画素１１３と、右目用緑色サブ画素１１４と、と左目用青色サブ画素１１５と、右目用青色サブ画素１１６を含んでいる。これらの単位画素１１０Ａには、左目用青色サブ画素１１５のみに一つのスペーサ２０３が配置されたものと、右目用青色サブ画素１１６のみに一つのスペーサ２０３が配置されたものの二種類がある。
【０１３７】
左目用青色サブ画素１１５のみにスペーサ２０３が配置された単位画素１１０Ａを含む行と、右目用青色サブ画素１１５のみにスペーサ２０３が配置された単位画素１１０Ａを含む行とが、ｙ方向に交互に配置されている。この構成では、１行２列（１×２）の単位画素１１０Ａを用いて、スペーサ２０３による配向不良領域４０８、４０８ａ及び４０８ｂが画質に及ぼす影響を補償する。
【０１３８】
図２４の構成では、単位画素１１０Ａは図２３と同じ構成を持ち、左目用青色サブ画素１１５のみに二つのスペーサ２０３が配置された単位画素１１０Ａと、右目用青色サブ画素１１６のみに二つのスペーサ２０３が配置された単位画素１１０Ａの二種類がある。そして、一方のスペーサ２０３が、他方に対してｙ方向に少しシフトされている。
【０１３９】
図２４においても、図２３と同様に、左目用青色サブ画素１１５のみにスペーサ２０３が配置された単位画素１１０Ａを含む行と、右目用青色サブ画素１１５のみにスペーサ２０３が配置された単位画素１１０Ａを含む行とが、ｙ方向に交互に配置されている。この構成でも、１行２列（１×２）の単位画素１１０Ａを用いて、スペーサ２０３による配向不良領域４０８、４０８ａ及び４０８ｂが画質に及ぼす影響を補償する。
【０１４０】
本第７実施形態では、上述した実施形態に示したスペーサ２０３の配置方法を任意に選択して使用可能である。
【０１４１】
スペーサ２０３が配置される色層としては、赤、緑、青の３色の中で視認性が最も高い緑色のサブ画素に、配向不良領域４０８、４０８ａ及び４０８ｂが重ならないようにするのが好ましい。また、赤、緑、青の各色のサブ画素は、ｘ方向に沿って配列するのが好ましい。
【０１４２】
本第７実施形態においても、上述した第１実施形態の表示装置と同じ効果が得られる。
【０１４３】
（第８実施形態）
図２５は、本発明の第８実施形態に係る表示装置に使用される表示パネルの構成を示す。
【０１４４】
本実施形態は、フライアイレンズを使用した４視点用の表示装置の例であり、ｘ方向だけでなくｙ方向にも画像を分離して送るようになっている。
【０１４５】
図２５に示すように、単位画素１２０Ａは、第１視点用サブ画素１２１と第３視点用サブ画素１２３とを一つの行にｘ方向に並置し、第２視点用サブ画素１２２と第４視点用サブ画素１２４とを、他の一つの行にｘ方向に並置して構成されている。サブ画素１２２と１２４は、それぞれ、サブ画素１２１と１２３の直下に位置している。各サブ画素１２１、１２２、１２３及び１２４は、いずれも正方形である。ここで使用されているスペーサ２０３も正方形である。
【０１４６】
第１視点用サブ画素１２１には、その右下の角にスペーサ２０３が一つ配置されたものと、スペーサ２０３がまったく配置されていないものがある。第２視点用サブ画素１２２には、その左下の角にスペーサ２０３が配置されたものと、スペーサ２０３がまったく配置されていないものがある。第３視点用サブ画素１２３には、その左下の角にスペーサ２０３が配置されたものと、スペーサ２０３がまったく配置されていないものがある。第４視点用サブ画素１２２には、その右下の角にスペーサ２０３が配置されたものと、スペーサ２０３がまったく配置されていないものがある。この構成では、２行２列（２×２）の単位画素１２０Ａを用いて、スペーサ２０３による配向不良領域４０８、４０８ａ及び４０８ｂが画質に及ぼす影響を補償する。
【０１４７】
本第８実施形態では、ｘ方向だけでなくｙ方向にも光が振り分けられるため、ｘ方向、ｙ方向それぞれにおいて配向不良領域４０８、４０８ａ及び４０８ｂの影響を補償する必要がある。その補償をするためのスペーサ２０３の配置方法としては、上述した実施形態に記載されたいずれかの方法を使用すればよい。
【０１４８】
本第８実施形態においても、上述した第１実施形態の表示装置と同じ効果が得られる。
【０１４９】
フライアイレンズ３０２のピッチと単位画素１２０Ａのピッチは、観察距離に応じて異なっていてもよい。
【０１５０】
フライアイレンズ３０２に代えて他の光学的画像分離素子を使用してもよい。
【０１５１】
（変形例）
上記第１〜８の実施形態は本発明の好適な例を示すものである。したがって、本発明はこれら実施形態に限定されず、種々の変形が可能なことは言うまでもない。
【０１５２】
例えば、上記第１〜８の実施形態では、対向基板上に遮光のためのブラックマトリックスを配置しているが、開口率向上のためにはブラックマトリックスを省略してもよい。
【０１５３】
また、上記第１〜８の実施形態では、いずれも液晶表示パネルを使用しているが、一対の基板間にスペーサを配置した構成を有するものであれば、液晶表示パネル以外の構成の表示パネル、例えば有機ＥＬディスプレイパネルを使用してもよい。
【０１５４】
また、上記第１〜８の実施形態では、レンチキュラレンズまたはフライアイレンズを使用しているが、他の光学的画像分離素子を使用してもよい。
【図面の簡単な説明】
【０１５５】
【図１】本発明の第１実施形態の表示装置においてレンチキュラレンズと共に使用された液晶表示パネルの画素構成を示す一部切欠部分説明図である。
【図２】本発明の第１実施形態の表示装置で使用された液晶表示パネルの主基板の構成を示す部分平面図である。
【図３】本発明の第１実施形態の表示装置で使用された液晶表示パネルの対向基板の構成を示す部分平面図である。
【図４】本発明の第１実施形態の表示装置において液晶表示パネルにレンチキュラレンズを組み合わせた状態を示す一部切欠部分斜視図である。
【図５】本発明の第１実施形態の表示装置においてラビング処理の際にスペーサの近傍に生じる配向不良領域を示す概略部分平面図である。
【図６】本発明の第１実施形態の表示装置においてスペーサの周辺に生じる配向不良領域を示す概略部分平面図である。
【図７】本発明の第１実施形態の表示装置においてスペーサの周辺に生じる配向不良領域を示す概略部分断面図である。
【図８】本発明の第１実施形態の表示装置において、レンズ要素のピッチＬ、配向不良領域の幅Ａ、レンズ要素の焦点距離ｆ、レンズ要素と画素との距離Ｈの関係を示す説明図である。
【図９】本発明の第２実施形態の表示装置においてレンチキュラレンズと共に使用された液晶表示パネルの画素構成を示す一部切欠部分説明図である。
【図１０】本発明の第２実施形態の表示装置に使用された液晶表示パネルの画素構成（各サブ画素内にスペーサを１個配置）を示す一部切欠部分説明図である。
【図１１】本発明の第２実施形態の表示装置において、液晶表示パネルの単位画素の構成の変形例（各サブ画素内にスペーサを２個配置）を示す一部切欠部分説明図である。
【図１２】本発明の第３実施形態の表示装置で使用された液晶表示パネルの画素構成（スペーサを含む単位画素の行とスペーサを含まない単位画素の行を交互に配置）を示す平面説明図である。
【図１３】本発明の第３実施形態の表示装置で使用された液晶表示パネルの画素構成の第１変形例（スペーサを含む単位画素の列とスペーサを含まない単位画素の列を交互に配置）を示す平面説明図である。
【図１４】本発明の第３実施形態の表示装置で使用された液晶表示パネルの画素構成の第２変形例（スペーサを含む単位画素とスペーサを含まない単位画素を市松模様を形成するように交互に配置）を示す平面説明図である。
【図１５】本発明の第３実施形態の表示装置で使用された液晶表示パネルの画素構成（左眼用サブ画素のみがスペーサを含む単位画素と右眼用サブ画素のみがスペーサを含む単位画素とを交互に配置）を示す平面説明図である。
【図１６】本発明の第３実施形態の表示装置で使用された液晶表示パネルの画素構成の第１変形例（左眼用サブ画素のみがスペーサを含む単位画素と右眼用サブ画素のみがスペーサを含む単位画素とを行毎に交互に配置され、さらに単位画素内のスペーサの位置が列毎に反転）を示す平面説明図である。
【図１７】本発明の第４実施形態の表示装置で使用された液晶表示パネルの画素構成（２行２列の単位画素でスペーサによる影響を補償）を示す平面説明図である。
【図１８】本発明の第４実施形態の画像表示装置で使用された液晶表示パネルの画素構成の変形例（４行４列の単位画素でスペーサによる影響を補償）を示す平面説明図である。
【図１９】本発明の第５実施形態の表示装置で使用された液晶表示パネルの画素構成（一つのサブ画素に二つのスペーサを配置）を示す平面説明図である。
【図２０】本発明の第５実施形態の表示装置で使用された液晶表示パネルの画素構成の変形例（一つのサブ画素に二つのスペーサを配置し、各サブ画素内にある二つのスペーサの位置が相互にずれている）を示す平面説明図である。
【図２１】本発明の第６実施形態の表示装置で使用された液晶表示パネルの画素構成（各単位画素が第１〜第４視点用のサブ画素を含む）を示す平面説明図であり、（ａ）では各単位画素内でスペーサが第１〜第４視点用のサブ画素にわたってストライプ状に延在しており、（ｂ）では第１〜第４視点用のサブ画素にそれぞれ１個のスペーサが配置されており、（ｃ）では第１及び第３視点用のサブ画素にそれぞれ１個のスペーサが配置されるが、第２及び第４視点用のサブ画素にはスペーサが配置されておらず、（ｄ）では各単位画素内でスペーサが第２及び第３視点用のサブ画素にわたってストライプ状に延在しているが、第１及び第４視点用のサブ画素にはスペーサが配置されていない。
【図２２】本発明の第６実施形態の表示装置で使用された液晶表示パネルの画素構成の変形例（スペーサを含む単位画素の列とスペーサを含まない単位画素の列を交互に配置）を示す平面説明図であり、
【図２３】本発明の第７実施形態の表示装置で使用された液晶表示パネルの画素構成（赤、緑及び青の三色層のうちで青の色層のみにスペーサを配置）を示す平面説明図である。
【図２４】本発明の第７実施形態の表示装置で使用された液晶表示パネルの画素構成の変形例（図１５の構成に対応）を示す平面説明図である。
【図２５】本発明の第８実施形態の表示装置で使用された液晶表示パネルの画素構成（フライアイレンズが使用され、各単位画素が第１〜第４視点用のサブ画素を含む）を示す平面説明図である。
【図２６】特許文献２に開示された柱状スペーサを用いてレンチキュラレンズを液晶表示パネルに貼り合わせた場合の光路を示す説明図である。
【図２７】特許文献２に開示された柱状スペーサを用いてレンチキュラレンズを液晶表示パネルに貼り合わせた場合の液晶表示パネルの端部におけるサブ画素の配置を示す概略部分断面図である。
【符号の説明】
【０１５６】
１００、１００Ａ  表示パネル
１０１  主基板
１０２  ＴＦＴ
１０３  ゲート配線
１０３ａ  ゲート電極
１０４  ソース配線
１０４ａ  ソース電極
１０５  画素電極
１０５ａ  ドレイン電極
１０６  左画素
１０７  右画素
１０８、１０８ａ、１０８ｂ  配向不良領域
１０９  画素領域
１１０、１１０Ａ  単位画素
１１１  赤色左画素
１１２  赤色右画素
１１３  緑色左画素
１１４  緑色右画素
１１５  青色左画素
１１６  青色右画素
１１７  遮光部
１２０、１２０Ａ  単位画素
１２１  第１視点用画素
１２２  第２視点用画素
１２３  第３視点用画素
１２４  第４視点用画素
２０１  対向基板
２０２  ブラックマトリクス
２０３  スペーサ
２０４  色層
３０１  レンチキュラレンズ
３０１ａ  レンズ要素
３０２  フライアイレンズ
４０２  配向膜
４０３  液晶分子
４０４  液晶層
【図１】
0005093726.tif 000002
【図２】
0005093726.tif 000003
【図３】
0005093726.tif 000004
【図４】
0005093726.tif 000005
【図５】
0005093726.tif 000006
【図６】
0005093726.tif 000007
【図７】
0005093726.tif 000008
【図８】
0005093726.tif 000009
【図９】
0005093726.tif 000010
【図１０】
0005093726.tif 000011
【図１１】
0005093726.tif 000012
【図１２】
0005093726.tif 000013
【図１３】
0005093726.tif 000014
【図１４】
0005093726.tif 000015
【図１５】
0005093726.tif 000016
【図１６】
0005093726.tif 000017
【図１７】
0005093726.tif 000018
【図１８】
0005093726.tif 000019
【図１９】
0005093726.tif 000020
【図２０】
0005093726.tif 000021
【図２１】
0005093726.tif 000022
【図２２】
0005093726.tif 000023
【図２３】
0005093726.tif 000024
【図２４】
0005093726.tif 000025
【図２５】
0005093726.tif 000026
【図２６】
0005093726.tif 000027
【図２７】
0005093726.tif 000028